(57)【要約】【課題】各種画像特殊効果を実行でき、小型化できる画像特殊効果装置を提供する。【解決手段】入力画像データをＮフレーム蓄積するフレームメモリ（Ｆメモリ）２と、Ｆメモリ２にライトアドレス５とリードアドレス８とを指定してＦメモリ２への画像データの書込み・読出しを制御するＦメモリ制御部４と、保有する演算資源を用いて、入力した演算資源構成情報を基に、ライトアドレス５からリードアドレスを演算するための演算回路６を構成し、この演算回路６で演算したリードアドレス７をＦメモリ制御部４に出力する演算部９と、選択ボタン１５〜１７で選択された画像特殊効果に対応する演算資源構成情報１２〜１４をメモリ１１から演算部９に転送するＣＰＵ１０とを備えている。この画像特殊効果装置では、選択ボタン１５〜１７で画像特殊効果を選択する度に、選択した画像特殊効果を実行する演算回路６が演算部９に実装される。【選択図】図１
2007013787.tif 000002
【特許請求の範囲】
【請求項１】
入力する画像データを蓄積するフレームメモリと、
前記フレームメモリへの画像データの書き込み及び読み出しを制御するフレームメモリ制御部と、
演算資源構成情報を基に、前記ライトアドレスから前記リードアドレスを演算するための演算回路を構成し、前記演算回路で演算した前記リードアドレスを前記フレームメモリ制御部に出力する演算部と、
を備える画像特殊効果装置。
【請求項２】
入力する画像データの少なくとも１フレームを蓄積するフレームメモリと、
前記フレームメモリに対し、画像データを蓄積するためのライトアドレスと画像データを読み出すためのリードアドレスとを指定して、前記フレームメモリへの画像データの書き込み及び読み出しを制御するフレームメモリ制御部と、
保有する演算資源を用いて、入力した演算資源構成情報を基に、前記ライトアドレスから前記リードアドレスを演算するための演算回路を構成し、前記演算回路で演算した前記リードアドレスを前記フレームメモリ制御部に出力する演算部と、
画像特殊効果を選択する選択操作部と、
前記選択操作部により選択された画像特殊効果に対応する前記演算資源構成情報を前記演算部に転送して、前記演算資源構成情報から前記演算回路を構成するように制御するＣＰＵと、
を備える画像特殊効果装置。
【請求項３】
請求項２に記載の画像特殊効果装置であって、
前記ＣＰＵが、メモリに格納された前記演算資源構成情報を前記演算部に転送する画像特殊効果装置。
【請求項４】
請求項３に記載の画像特殊効果装置であって、
前記ＣＰＵが、ネットワークを通じて取得した前記演算資源構成情報を、前記メモリに格納する画像特殊効果装置。
【請求項５】
請求項２に記載の画像特殊効果装置であって、
前記ＣＰＵが、ネットワークを通じて取得した前記演算資源構成情報を、前記演算部に転送する画像特殊効果装置。
【請求項６】
画像特殊効果装置と、前記画像特殊効果装置にネットワークで接続したサーバとを備える画像特殊効果システムであって、
前記画像特殊効果装置は、
入力する画像データの少なくとも１フレームを蓄積するフレームメモリと、
前記フレームメモリに対し、画像データを蓄積するためのライトアドレスと画像データを読み出すためのリードアドレスとを指定して、前記フレームメモリへの画像データの書き込み及び読み出しを制御するフレームメモリ制御部と、
保有する演算資源を用いて、入力した演算資源構成情報に基づいて、前記ライトアドレスから前記リードアドレスを演算するための演算回路を構成し、前記演算回路で演算した前記リードアドレスを前記フレームメモリ制御部に出力する演算部と、
画像特殊効果を選択する選択操作部と、
前記選択操作部により選択された画像特殊効果に対応する前記演算資源構成情報を前記演算部に転送して、前記演算資源構成情報から前記演算回路を構成するように制御するとともに、前記演算資源構成情報の前記サーバからの取得を制御するＣＰＵと、
を備え、
前記サーバは、少なくとも１つの前記演算資源構成情報と、前記リードアドレスを演算する際のフレームの演算パラメータを制御する演算パラメータ制御プログラムとを対にして保持し、
前記画像特殊効果装置のＣＰＵが、前記サーバに前記演算資源構成情報を要求したとき、前記サーバは、前記演算資源構成情報と前記演算パラメータ制御プログラムとを前記画像特殊効果装置に転送し、前記ＣＰＵは、前記演算部が、前記演算資源構成情報から前記演算回路を構成して前記リードアドレスを演算するときに、前記演算パラメータ制御プログラムに従ってフレームの演算パラメータを制御する画像特殊効果システム。
【発明の詳細な説明】
【技術分野】
【０００１】
本発明は、映像制作等に用いる画像特殊効果装置と、そのシステムに関し、特に、多種類の特殊効果画像を生成する装置の小型化を図るものである。
【背景技術】
【０００２】
画像特殊効果装置は、フレームメモリに順次書き込んだ画像データを、読み出しアドレスを制御してフレームメモリから読み出すことにより、ページターン、リップル、ウェーブ、スクリュー等の各種のビデオエフェクトを画像に施している。
【０００３】
従来の画像特殊効果装置は、図５に示すように、フレームメモリ２と、フレームメモリ２のライト／リードアドレスを制御するフレームメモリ制御部４と、リードアドレスを演算する演算部１０１と、特殊効果を選択するボタン１５〜１７操作を受けて演算部１０１の演算を制御するＣＰＵ１０とを備えている。
【０００４】
また、演算部１０１は、特殊効果共通演算回路１０２と、特殊効果の専用演算回路１０５〜１０７と、その専用演算回路１０５〜１０７を選択する第一セレクタ１０３及び第二セレクタ１０４とを備えている。
【０００５】
この装置のフレームメモリ制御部４は、シーケンシャルなライトアドレス５をフレームメモリ２に出力し、入力画像１をフレームメモリ２に順次書き込む。操作者が特殊効果１を指定して特殊効果１選択ボタン１５を押した場合は、この通知を受けたＣＰＵ１０が、第一セレクタ１０３と第二セレクタ１０４とを制御して、特殊効果共通演算回路１０２の出力を特殊効果１専用演算回路１０５に送り、そこで演算処理させる。演算部１０１は、特殊効果１専用演算回路１０５の演算結果を画像特殊効果用リードアドレス７としてフレームメモリ制御部４に出力する。フレームメモリ制御部４は、これをフレームメモリ２制御用に調整し、その画像特殊効果用リードアドレス８をフレームメモリ２に出力して、フレームメモリ２の読み出し制御を行い、特殊効果画像を得る。
【０００６】
また、下記特許文献１には、画像データに対して特殊効果を実施する複数の基本特殊効果手段（例えば、画像データに対して、縮小効果を施す縮小特殊効果手段、回転効果を施す回転特殊効果手段、移動効果を施す移動特殊効果手段、フェードアウト効果を施すフェードアウト特殊効果手段など）の群から、操作者の指示により複数の基本特殊効果手段を選択してその処理順序を決定し、選択した基本特殊効果手段の処理を実行して各種の画像特殊効果を実現する画像効果処理方式が記載されている。例えば、縮小特殊効果手段、回転特殊効果手段及びフェードアウト特殊効果手段が選択されると、画像に「縮小しながら回転しながらフェードアウトする」という画像効果が施される。
【特許文献１】特開平１１−１８００５号公報
【発明の開示】
【発明が解決しようとする課題】
【０００７】
しかし、上述した従来の画像特殊効果装置では、図５に示すように、特殊効果を得るためのすべての演算回路をあらかじめＦＰＧＡ（Field Programmable Gate Array）やＬＳＩ上に実装しておく必要があり、実装した演算回路による特殊効果以外の効果は得ることができない。そのため、様々な特殊効果を実現するには、それら全ての特殊効果に対応する演算回路を搭載して置かなければならないが、全ての演算回路をＦＰＧＡやＬＳＩ上に搭載すると、演算回路資源が不足する結果、ＦＰＧＡやＬＳＩを追加する必要が生じ、画像特殊効果装置は大型化する。
【０００８】
これは特許文献１の画像効果処理方式を採る場合も同様であり、実装していない特殊効果手段は、実装された他の基本特殊効果手段と組み合わせることができないから、様々な特殊効果を実現しようとすると、多数の基本特殊効果手段をＦＰＧＡやＬＳＩ上に搭載する必要があり、そのため、画像特殊効果装置の大型化は避けられない。
【０００９】
本発明は、こうした状況を考慮して創案したものであり、様々な画像特殊効果を実行することができ、かつ、小型化できる画像特殊効果装置を提供し、また、そのシステムを提供することを目的としている。
【課題を解決するための手段】
【００１０】
本発明の画像特殊効果装置は、入力する画像データを蓄積するフレームメモリと、前記フレームメモリへの画像データの書き込み及び読み出しを制御するフレームメモリ制御部と、演算資源構成情報を基に、前記ライトアドレスから前記リードアドレスを演算するための演算回路を構成し、前記演算回路で演算した前記リードアドレスを前記フレームメモリ制御部に出力する演算部とを備える。
【００１１】
この画像特殊効果装置では、選択した画像特殊効果を実行する演算回路で演算したリードアドレスが演算部に出力される。
【００１２】
また、本発明の画像特殊効果装置は、入力する画像データの少なくとも１フレームを蓄積するフレームメモリと、フレームメモリに対し、画像データを蓄積するためのライトアドレスと画像データを読み出すためのリードアドレスとを指定して、フレームメモリへの画像データの書き込み及び読み出しを制御するフレームメモリ制御部と、保有する演算資源を用いて、入力した演算資源構成情報を基に、ライトアドレスからリードアドレスを演算するための演算回路を構成し、この演算回路で演算したリードアドレスをフレームメモリ制御部に出力する演算部と、画像特殊効果を選択する選択操作部と、選択操作部により選択された画像特殊効果に対応する演算資源構成情報を演算部に転送して、演算資源構成情報から演算回路を構成するように制御するＣＰＵとを備えている。
【００１３】
この画像特殊効果装置では、選択操作部で画像特殊効果を選択するたびに、選択した画像特殊効果を実行する演算回路が演算部に実装される。
【００１４】
また、本発明の画像特殊効果装置では、ＣＰＵが、メモリに格納された演算資源構成情報を演算部に転送する。
【００１５】
また、ＣＰＵは、ネットワークを通じて取得した演算資源構成情報を、演算部に転送し、または、メモリに格納する。
【００１６】
この画像特殊効果装置は、必要な演算資源構成情報をネットワークを通じて取得することができるため、多数の演算資源構成情報を予めメモリに保持して置く必要がない。
【００１７】
また、本発明の画像特殊効果システムは、画像特殊効果装置と、この画像特殊効果装置にネットワークで接続したサーバとを備えており、画像特殊効果装置は、入力する画像データの少なくとも１フレームを蓄積するフレームメモリと、フレームメモリに対し、画像データを蓄積するためのライトアドレスと画像データを読み出すためのリードアドレスとを指定して、フレームメモリへの画像データの書き込み及び読み出しを制御するフレームメモリ制御部と、保有する演算資源を用いて、入力した演算資源構成情報に基づいて、ライトアドレスからリードアドレスを演算するための演算回路を構成し、この演算回路で演算したリードアドレスをフレームメモリ制御部に出力する演算部と、画像特殊効果を選択する選択操作部と、選択操作部により選択された画像特殊効果に対応する演算資源構成情報を演算部に転送して、演算資源構成情報から演算回路を構成するように制御するとともに、演算資源構成情報のサーバからの取得を制御するＣＰＵとを備え、サーバは、少なくとも１つの演算資源構成情報と、リードアドレスを演算する際のフレームの演算パラメータを制御する演算パラメータ制御プログラムとを対にして保持し、画像特殊効果装置のＣＰＵが、サーバに演算資源構成情報を要求したとき、サーバは、演算資源構成情報と演算パラメータ制御プログラムとを画像特殊効果装置に転送し、ＣＰＵは、演算部が、演算資源構成情報から演算回路を構成してリードアドレスを演算するときに、演算パラメータ制御プログラムに従ってフレームの演算パラメータを制御する。
【００１８】
このシステムでは、サーバから画像特殊効果装置に演算資源構成情報と演算パラメータ制御プログラムとをダウンロードすることで、画像特殊効果装置において実行可能な画像特殊効果を追加することができる。また、ＣＰＵが演算パラメータ制御プログラムに従ってＭフレーム毎の演算パラメータを制御することにより、フレームの推移に伴って画像特殊効果の態様が変化する。
【発明の効果】
【００１９】
本発明の画像特殊効果装置は、様々な画像特殊効果を高速かつ高精度に実行する機能を実装し、追加する場合でも、演算部を増設する必要が無く、装置を小型化できる。
【００２０】
また、本発明の画像特殊効果システムは、この画像特殊効果装置に対し、様々な画像特殊効果を実行する機能を追加することができる。
【発明を実施するための最良の形態】
【００２１】
（第１の実施の形態）
図１は、本発明の第１の実施の形態における画像特殊効果装置の構成を示すブロック図である。この装置は、フレームメモリ２と、フレームメモリ制御部４と、特殊効果を選択する選択ボタン１５〜１７と、特殊効果用演算回路を構成するための演算資源構成情報１２〜１４が格納されたメモリ１１と、指定された演算資源構成情報から演算回路６を構成してリードアドレスを演算する演算部９と、ＣＰＵ１０とを備えている。
【００２２】
フレームメモリ２は、入力画像１の画像データを少なくとも１フレーム蓄積する。フレームメモリ制御部４は、入力画像１の画像データをフレームメモリ２に蓄積するためのシーケンシャルなライトアドレス５を生成し、また、書き込んだ画像データをフレームメモリ２から読み出すための画像特殊効果用リードアドレス８を、演算部９が演算したリードアドレス７を基に生成する。
【００２３】
メモリ１１は、特殊効果用の演算回路を構成するための演算資源構成情報１２〜１４を複数保持している。演算資源構成情報は、演算資源の接続関係や動作設定等を規定する情報である。
【００２４】
特殊効果選択ボタン１５〜１７は、画像特殊効果を選択する操作者によって押される。
【００２５】
ＣＰＵ１０は、特殊効果選択ボタン１５〜１７の押下により選択された画像特殊効果情報を受信すると、選択された画像特殊効果に対応する演算資源構成情報１２〜１４のみをメモリ１１から演算部９にダウンロードして、その演算資源構成情報から演算回路を構成するように制御する。
【００２６】
演算部９は、例えば、リコンフィギャラブル（動的再構成）回路を形成するチップから成る。リコンフィギャラブル回路は、予め用意された幾つかの回路ユニット（演算資源）の接続関係と動作設定とをソフトウエアによって変えながら、指定された回路機能を果たす回路である。演算部９は、保有する演算資源を用い、演算資源構成情報に基づいて演算回路６を構成し、演算結果（即ち、画像特殊効果用リードアドレス７）をフレームメモリ制御部４に出力する。図１では、特殊効果１選択ボタン１５が押され、メモリ１１から特殊効果１用演算資源構成情報１２が演算部９にダウンロードされ、演算部９で特殊効果１用演算回路６が構成された場合を示している。
【００２７】
図２のフロー図は、この画像特殊効果装置の動作について示している。
【００２８】
特殊効果選択ボタン１５〜１７のうち、特殊効果１選択ボタン１５が押された場合、その情報がＣＰＵ１０に通知される（ステップＳ１）。通知を受けたＣＰＵ１０は、特殊効果１に対応する特殊効果１用演算資源構成情報１２を、メモリ１１から演算部９へ転送する（ステップＳ２）。
【００２９】
演算部９は、特殊効果１用演算資源情報１２に基づいて特殊効果１用演算回路６を構成する（ステップＳ３）。
【００３０】
特殊効果１用演算回路６を構成後、フレームメモリ制御部４は、シーケンシャルなライトアドレス５をフレームメモリ２に送り、入力画像１をフレームメモリ２に１フレーム分蓄える（ステップＳ４）。
【００３１】
フレームメモリ制御部４は、このシーケンシャルなライトアドレス５を演算部９中の特殊効果１用演算回路６にも入力する（ステップＳ５）。
【００３２】
演算部９中の特殊効果１用演算回路６は、入力したシーケンシャルなライトアドレス５に対して特殊効果１の演算を行い、演算結果として画像特殊効果用リードアドレス７を求め、フレームメモリ制御部４に出力する（ステップＳ６）。
【００３３】
フレームメモリ制御部４は、画像特殊効果用リードアドレス７をフレームメモリ２に出力し、フレームメモリ２は、画像特殊効果用リードアドレス７に基づいて入力画像１に特殊効果１が加えられた出力画像３を読み出す（ステップＳ７）。
【００３４】
以降は、画像特殊効果の選択を変更しない限り、ステップＳ４からステップＳ７の処理を繰り返す（ステップＳ８）。
【００３５】
このように、この画像特殊効果装置では、操作者が画像特殊効果を選択するボタンを押すたびに、選択した特殊効果を実現する演算回路のみが演算部９に実装される。そのため、多数の演算回路を予め実装していなくても、様々な特殊効果用の演算を行うことができ、かつ、専用回路と同等の高速演算処理が可能である。また、多数の演算回路を予め実装する場合は、演算資源を確保するため、演算部を追加することが必要になるが、この画像特殊効果装置では、演算部の追加が不要であり、装置を小型化することができる。
【００３６】
なお、本実施の形態では、フレームメモリ２に、１フレーム分の画像を蓄積したが、それ以外のサイズの画像（Ｎフレーム分の画像データ）を蓄積してもよい。また、ここでは特殊効果の選択肢を３つとしたが、それ以外の数でもよく、いずれの特殊効果を選択しても動作は同様である。
【００３７】
（第２の実施の形態）
本発明の第２の実施の形態では、第１の実施の形態における画像特殊効果装置に対し、画像特殊効果の機能を追加する画像特殊効果システムについて説明する。
【００３８】
図３は、本発明の第２の実施の形態における画像特殊効果システムの構成図である。
【００３９】
このシステムは、画像特殊効果装置４０と、サーバ２２と、それらを接続するインターネット２１とから成る。
【００４０】
サーバ２２は、特殊効果用演算資源構成情報２６〜２８と特殊効果用パラメータ制御プログラム２９〜３１とを保持している。この特殊効果用パラメータ制御プログラム２９〜３１は、各特殊効果のフレーム毎のパラメータを制御するプログラムである。
【００４１】
また、画像特殊効果装置４０は、メモリ１１で保持していない特殊効果用演算資源構成情報をサーバ２２から取得する際に押される特殊効果追加ボタン２３〜２５を具備している。その他の構成は第１の実施の形態（図１）と変わりがない。
【００４２】
このシステムでは、画像特殊効果装置４０の特殊効果追加ボタン２３〜２５を押すと、サーバ２２から、選択した特殊効果用演算資源構成情報２６〜２８とともに特殊効果用パラメータ制御プログラム２９〜３１が画像特殊効果装置４０に転送され、メモリ１１に格納される。
【００４３】
また、画像特殊効果装置４０の特殊効果選択ボタン３２〜３４のいずれかが押されると、該当する特殊効果用演算資源構成情報がメモリ１１から演算部９に送られて演算回路４０が形成され、特殊効果が実行される。このとき、ＣＰＵ１０は、その特殊効果に対応する特殊効果用パラメータ制御プログラムに従って、その特殊効果のフレーム毎のパラメータを制御する。
【００４４】
図４のフロー図は、この画像特殊効果システムの動作について示している。
【００４５】
操作者が画像特殊効果装置４０の特殊効果追加ボタン２３〜２５のうち、特殊効果４追加ボタン２３を押した場合、その情報がＣＰＵ１０に通知される（ステップＳ２１）。通知を受けたＣＰＵ１０は、特殊効果４に対応する特殊効果４用演算資源構成情報２６と、特殊効果４のパラメータをフレーム毎に制御する特殊効果４用パラメータ制御プログラム２９とを、サーバ２２からインターネット２１経由で取得し、メモリ１１へ転送する（ステップＳ２２）。
【００４６】
操作者が、画像特殊効果装置４０の特殊効果選択ボタン３２〜３４のうち、特殊効果４選択ボタン３２を押すと、その情報がＣＰＵ１０に通知される（ステップＳ２３）。通知を受けたＣＰＵ１０は、特殊効果４に対応する特殊効果４用演算資源構成情報２６を、メモリ１１から演算部９へ転送する（ステップＳ２４）。
【００４７】
演算部９は、特殊効果４用演算資源情報２６に基づいて特殊効果４用演算回路４０を構成する（ステップＳ２５）。
【００４８】
特殊効果４用演算回路４０を構成後、フレームメモリ制御部４は、シーケンシャルなライトアドレス５をフレームメモリ２に送り、入力画像１をフレームメモリ２に１フレーム分蓄える（ステップＳ２６）。
【００４９】
フレームメモリ制御部４は、このシーケンシャルなライトアドレス５を演算部９中の特殊効果４用演算回路４０にも入力する（ステップＳ２７）。
【００５０】
ＣＰＵ１０は、特殊効果４用パラメータ制御プログラムに従い、演算部９に対して、特殊効果４のパラメータを毎フレーム制御する（ステップＳ２８）。
【００５１】
演算部９中の特殊効果４用演算回路４０は、入力したシーケンシャルなリードアドレス５に対して特殊効果４の演算を行い、画像特殊効果用リードアドレス７を出力する（ステップＳ２９）。
【００５２】
フレームメモリ制御部４は、画像特殊効果用リードアドレス７を用いてフレームメモリ２制御用に調整した画像特殊効果用リードアドレス８をフレームメモリ２に出力し、フレームメモリ２から特殊効果４が加えられた出力画像３を読み出す（ステップＳ３０）。
【００５３】
以降は、画像特殊効果の選択を変更しない限り、図４のステップＳ２６からステップＳ３０の処理を繰り返す（ステップＳ３１）。
【００５４】
このように、この画像特殊効果システムでは、画像特殊効果装置が保持していない画像特殊効果用の演算回路を、外部から取得した演算資源情報に基づいて構成することができる。従って、画像特殊効果装置は、予め特殊効果用演算回路を持つ必要もなければ、予め多数の特殊効果用演算資源構成情報を持つ必要も無いため、小型に構成できる。また、外部から取得した演算資源情報に基づいて構成した画像特殊効果用演算回路は、専用回路と同等の高速演算処理が可能である。
【００５５】
なお、図３中のインターネット２１は、ローカルバス等、他のネットワークでもよく、サーバ２２は、ＰＣカードのような記憶装置でもよい。また、ここでは、サーバ２２で保持された特殊効果４用演算資源構成情報２６をメモリ１１へ転送するとしたが、演算部９へ直接転送してもよい。
【００５６】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００５７】
本発明は、小型化した構成により様々な画像特殊効果を実現できる画像特殊効果装置、及び、その画像特殊効果装置に様々な画像特殊効果の機能を追加することができるシステムとして、映像・画像の制作・編集等が行われる各分野において広く利用することができる。
【図面の簡単な説明】
【００５８】
【図１】本発明の第１の実施の形態における画像特殊効果装置の構成を示すブロック図
【図２】本発明の第１の実施の形態における画像特殊効果装置の処理手順を示すフロー図
【図３】本発明の第２の実施の形態における画像特殊効果システムの構成を示すブロック図
【図４】本発明の第２の実施の形態における画像特殊効果システムの処理手順を示すフロー図
【図５】従来の画像特殊効果装置の構成を示すブロック図
【符号の説明】
【００５９】
１    入力画像  
２    フレームメモリ
３    出力画像
４    フレームメモリ制御部
５    シーケンシャルなライトアドレス
６    特殊効果１用演算回路
７    画像特殊効果用リードアドレス
９    演算部
１０  ＣＰＵ
１１  メモリ
１２  特殊効果１用演算資源構成情報
１３  特殊効果２用演算資源構成情報
１４  特殊効果３用演算資源構成情報
１５  特殊効果１選択ボタン
１６  特殊効果２選択ボタン
１７  特殊効果３選択ボタン
２１  インターネット
２２  サーバ
２３  特殊効果４追加ボタン
２４  特殊効果５追加ボタン
２５  特殊効果６追加ボタン
２６  特殊効果４用演算資源構成情報
２７  特殊効果５用演算資源構成情報
２８  特殊効果６用演算資源構成情報
２９  特殊効果４用パラメータ制御プログラム
３０  特殊効果５用パラメータ制御プログラム
３１  特殊効果６用パラメータ制御プログラム
３２  特殊効果４選択ボタン
３３  特殊効果５選択ボタン
３４  特殊効果６選択ボタン
４０  特殊効果４用演算回路
１０１  演算部
１０２  特殊効果共通演算回路
１０３  第一セレクタ
１０４  第二セレクタ
１０５  特殊効果１専用演算回路
１０６  特殊効果２専用演算回路
１０７  特殊効果３専用演算回路
【図１】
2007013787.tif 000003
【図２】
2007013787.tif 000004
【図３】
2007013787.tif 000005
【図４】
2007013787.tif 000006
【図５】
2007013787.tif 000007